(57)【要約】  キャリングケース（１０）は第１の収納ユニット（１２）及び第２の収納ユニット（１４）を含む。第２の収納ユニット（１４）は、第１の収納ユニット（１２）から離れて折り畳み位置から展開位置に移動し、該展開位置において第１の収納ユニット（１２）と第２の収納ユニット（１４）との間に間隙（１６）を定義する。トレイ（１８）は前記間隙（１６）に亘って第１の収納ユニット（１２）から第２の収納ユニット（１４）に広がる。トレイ（１８）の少なくとも一部（２０）は折り畳み位置において第２の収納ユニット（１４）内に配置され、展開位置において間隙（１６）に沿って広がる。第１の収納ユニット（１２）及び／又は第２の収納ユニット（１４）の内容物が収納ユニット（１２、１４）から取り出され、内容物の使用の間トレイ（１８）の上で支持される。
2017525434.tif 000002
【特許請求の範囲】
【請求項１】
第１の収納ユニットと、
第２の収納ユニットであって、前記第１の収納ユニットから離れて折り畳み位置から展開位置に移動し、該展開位置において前記第１の収納ユニットと該第２の収納ユニットとの間に間隙を定義する第２の収納ユニットと、
前記間隙に亘って前記第１の収納ユニットから前記第２の収納ユニットに広がるトレイであって、該トレイの少なくとも一部は前記折り畳み位置において前記第２の収納ユニット内に配置され、前記展開位置において前記間隙に沿って広がる、トレイと、
を含むキャリングケース。
【請求項２】
前記トレイの少なくとも別の部分は、前記折り畳み位置にある場合は前記第１の収納ユニット内に配置され、前記展開位置にある場合は前記間隙に沿って広がる、請求項１に記載のキャリングケース。
【請求項３】
前記第２の収納ユニットは前記トレイを摺動可能に受容する軌道を定義する、請求項１に記載のキャリングケース。
【請求項４】
前記第２の収納ユニットは底面パネルとコンパートメントとを含み、前記軌道は前記底面パネルと前記コンパートメントとの間に配置される、請求項３に記載のキャリングケース。
【請求項５】
前記第１の収納ユニットは前記トレイを摺動可能に受容する軌道を定義する、請求項３に記載のキャリングケース。
【請求項６】
前記第１の収納ユニット及び前記第２の収納ユニットのそれぞれは底面パネル及びコンパートメントを含み、前記軌道は、前記第１の収納ユニット及び前記第２の収納ユニットの双方の底面パネルとコンパートメントとの間に配置される、請求項５に記載のキャリングケース。
【請求項７】
前記第２の収納ユニットは前記トレイを摺動可能に受容するスロットを定義する、請求項１に記載のキャリングケース。
【請求項８】
前記第１の収納ユニットは前記トレイを摺動可能に受容するとともに、前記折り畳み位置において前記第２の収納ユニットのスロットと対向するスロットを含む、請求項７に記載のキャリングケース。
【請求項９】
前記第１の収納ユニットと前記第２の収納ユニットとは枢結され、互いに対して枢動して前記折り畳み位置から前記展開位置に移る、請求項１に記載のキャリングケース。
【請求項１０】
前記第１の収納ユニット及び前記第２の収納ユニットに連結されるコネクタをさらに含み、前記第１の収納ユニットと前記第２の収納ユニットとは前記コネクタを中心に互いに対して枢動する、請求項１に記載のキャリングケース。
【請求項１１】
前記コネクタは、前記折り畳み位置において前記第１の収納ユニットと前記第２の収納ユニットとの間に折り目を含む、請求項１０に記載のキャリングケース。
【請求項１２】
前記折り目内にファスナーをさらに含む、請求項１１に記載のキャリングケース。
【請求項１３】
前記第１の収納ユニットと前記第２の収納ユニットとは互いに対して並進して前記折り畳み位置から前記展開位置に移る、請求項９に記載のキャリングケース。
【請求項１４】
前記トレイは扇形である、請求項１に記載のキャリングケース。
【請求項１５】
前記トレイは切頂扇形である、請求項１に記載のキャリングケース。
【請求項１６】
前記トレイは平面に沿って広がり、前記展開位置において前記第１の収納ユニット及び前記第２の収納ユニットを前記平面内で支持する、請求項１に記載のキャリングケース。
【請求項１７】
前記第１の収納ユニット及び前記第２の収納ユニットのそれぞれはコンパートメントと、該コンパートメントを取り外し可能に覆う蓋とを定義する、請求項１に記載のキャリングケース。
【請求項１８】
前記第１の収納ユニット及び前記第２の収納ユニットのコンパートメント内に仕切板をさらに含み、前記仕切板は区画と該区画を連結するリビングヒンジとを含む、請求項１７に記載のキャリングケース。
【発明の詳細な説明】
【技術分野】
【０００１】
本特許出願は、２０１４年７月２５日に出願された米国仮特許出願第６２／０２９１２２号の優先権を主張する、２０１５年６月５日に出願された米国特許出願第１４／７３１７５４号の優先権及び全ての便益を主張する。これらの各出願は参照により本願に全体的に組み込まれる。
【０００２】
本開示は物品を収納及び搬送するためのキャリングケースに関する。
【背景技術】
【０００３】
キャリングケースは、比較的小さい物品を収納、整理及び／又は搬送するのに用いることができる。一例として、キャリングケースは旅行の際に化粧品及び／又は洗面道具を収納及び搬送するために設計され得る。例えば、旅行の間、大きな手荷物を運ぶことや、例えば飛行機の手荷物の大きさに関する要件（airline  luggage  size  requirements）といった輸送要件等の実際上の考慮すべき事柄により旅行者の手荷物のスペースが制限され得る。そのため、一部のキャリングケースは化粧品及び／又は洗面用具を効果的に収納及び搬送するのに大きすぎる。
【０００４】
それに加えて、旅行の間に又は旅先でキャリングケースの内容物を使用するための環境は理想からほど遠いことがある。例えば、旅行の間又は旅先で、キャリングケースは洗面所又は手洗いの洗面台で使用されることがある。とりわけ、洗面台のカウンタースペース（counter  space）を２人以上の旅行者が使用中の場合及び／又は手回り品がカウンタースペースに置かれている場合、カウンタースペースは限られる。それに加えて、とりわけ旅行者が限られた空間で作業している場合、使用のために取り出されたキャリングケースの物品が洗面台の中に容易に落ちて排水管に流されてしまうことがある。
【０００５】
そのため、旅行に資する小さなサイズを有するとともに、内容物へのアクセス及び使用を容易にするキャリングケースをデザインする機会が残っている。
【発明の概要】
【課題を解決するための手段】
【０００６】
キャリングケースは第１の収納ユニット及び第２の収納ユニットを含む。第２の収納ユニットは第１の収納ユニットから離れて折り畳み位置（stowed  position）から展開位置（extended  position）に移動し、該展開位置で第１の収納ユニットと第２の収納ユニットとの間に間隙を定義する。トレイは前記間隙に亘って第１の収納ユニットから第２の収納ユニットに広がる。トレイの少なくとも一部は折り畳み位置において第２の収納ユニット内に配置され、展開位置において前記間隙に沿って広がる。
【０００７】
トレイは、展開位置において間隙に亘って第１の収納ユニットから第２の収納ユニットに広がるため、内容物が第１の収納ユニット及び／又は第２の収納ユニットから取り出されてトレイの上で支持され得る。それに加えて、折り畳み位置において、トレイの少なくとも一部は第２の収納ユニット内に配置されるため、キャリングケースは搬送がより容易及び／又は搬送のために荷造りがより容易なコンパクトなサイズを取り得る。
【図面の簡単な説明】
【０００８】
下記の詳細な説明を参照し添付の図面と関連させて考えた場合に本開示の他の利点を良く理解できることができるため、本開示の他の利点を容易に理解できる。
【図１】図１は、折り畳み位置にあるキャリングケースの斜視図である。
【図２】図２は、第１及び第２の収納ユニットの蓋が閉じた状態の展開位置にあるキャリングケースの斜視図である。
【図３】図３は、蓋が開いた状態の展開位置にあるキャリングケースの斜視図である。
【図４】図４は、第１及び第２の収納ユニット内に配置されたトレイの一部を陰線で示す折り畳み位置にあるキャリングケースの上面図である。
【図５】図５は、第１及び第２の収納ユニット内に配置されたトレイの一部を陰線で示す展開位置にあるキャリングケースの上面図である。
【図６】図６は、折り畳み位置にある第２の実施形態のキャリーケースの上面図であり、トレイを陰線で示すとともに、ベースを含み、第１及び第２の収納ユニットの間に折り目を備える。
【図７】図７は、第１及び第２の収納ユニットがベースに沿って互いに離間するとともに互いに対して枢動して展開位置にある状態の図６のキャリーケースの上面図である。
【図８】図８は、第１及び第２の収納ユニットのうちの一方の蓋の断面図である。
【図９】図９は、第１及び第２の収納ユニットのうちの一方の仕切板の上面図である。
【発明を実施するための形態】
【０００９】
図面を参照して（いくつかの図面を通して同様の参照符号は同様の部分を示す）、キャリングケース１０、１１０は第１の収納ユニット１２及び第２の収納ユニット１４を含む。第２の収納ユニット１４は、第１の収納ユニット１２から離れて、図１に示す折り畳み位置から図２〜図３に示す展開位置に移動し、展開位置において第１の収納ユニット１２と第２の収納ユニット１４との間に間隙１６を定義する。トレイ１８、１１８は間隙１６に亘って第１の収納ユニット１２から第２の収納ユニット１４に広がる。トレイ１８、１１８の少なくとも部位２０は、折り畳み位置において第２の収納ユニット１４内に配置され、展開位置において間隙１６に沿って広がる。
【００１０】
トレイ１８、１１８は間隙１６に亘って第１の収納ユニット１２から第２の収納ユニット１４に広がるため、第１の収納ユニット１２及び／又は第２の収納ユニット１４から内容物が取り出されてトレイ１８、１１８の上で支持され得る。例えば、第１の収納ユニット１２及び／又は第２の収納ユニット１４に化粧品が収納され得る。以下でさらに説明するように、第１の収納ユニット１２及び第２の収納ユニット１４は、トレイ１８、１１８が（例えば、図３において破線で示す）洗面台２２に亘って広がるように洗面台２２の側部に置かれ得る。トレイ１８、１１８は化粧品を支持して化粧品が洗面台２２に落下するのを防止するのに使用され得る。即ち、トレイ１８、１１８は洗面台２２のカウンタースペースを広げる。トレイ１８、１１８の少なくとも部位２０は、折り畳み位置において第２の収納ユニット１４内に配置されるため、キャリングケース１０、１１０は搬送がより容易及び／又は搬送のために荷造りがより容易なコンパクトなサイズを取り得る。
【００１１】
以下でさらに説明するように、第１の実施形態のキャリングケース１０を図１〜図５に示し、第２の実施形態のキャリングケース１１０を図６〜図７に示す。双方の実施形態における共通の特徴を特定するのに共通の参照符号を使用する。以下でさらに説明するように、第１の実施形態はトレイ１８を含み、第２の実施形態はトレイ１１８を含む。トレイ１８、１１８は、第１の収納ユニット１２及び第２の収納ユニット１４が展開位置において第１の収納ユニット１２及び第２の収納ユニット１４を支持するように構成され得る。即ち、トレイ１８、１１８は、実質的に曲がったり座屈したりすることなく展開位置にある第１の収納ユニット１２及び第２の収納ユニット１４の重さを支持する。トレイ１８、１１８は任意の好適な厚さを有し、例えば第１の収納ユニット１２及び第２の収納ユニット１４に比べて細い。トレイ１８、１１８は任意の好適な材料から作られ得る。例えば、トレイ１８、１１８はエチレン酢酸ビニル（ＥＶＡ）等のポリマー又は任意の他のポリオレフィンエラストマー若しくはエチレンのコポリマーから作られ得る。トレイ１８、１１８は例えばファブリック、フィルム等の織布のカバー（woven  cover）を含み得る。
【００１２】
図１及び図２を参照して、第１の収納ユニット１２及び第２の収納ユニット１４の双方は、トレイ１８に対して折り畳み位置から展開位置に移動でき得る。この構成では、第１の収納ユニット１２及び第２の収納ユニット１４は互いに独立してトレイ１８に対して移動し得る。即ち、第１の収納ユニット１２は第２の収納ユニット１４の位置に関係なく折り畳み位置と展開位置との間で移動でき、第２の収納ユニット１４は第１の収納ユニット１２の位置に関係なく折り畳み位置と展開位置との間を移動でき得る。あるいは、トレイ１８は第１の収納ユニット１２に固定されてもよく、第２の収納ユニット１４は、第２の収納ユニット１４から展開し第２の収納ユニット１４内に引っ込められるようにトレイ１８に対して可動であり得る。なお、本明細書では「第１」及び「第２」という用語を収納ユニットのための識別子として使用しているに過ぎず、順番又は重要度を暗示することを意図していない。
【００１３】
引き続き図１及び図２を参照して、上述したように、トレイ１８の少なくとも一部は折り畳み位置において第２の収納ユニット１４内に配置され、展開位置において間隙１６に沿って広がる。同様に、トレイ１８の少なくとも別の部位２１は折り畳み位置において第１の収納ユニット１２内に配置され、展開位置において間隙１６に沿って広がる。第１の収納ユニット１２及び第２の収納ユニット１４が展開位置にある場合にトレイ１８の部位２０、２１が間隙１６に沿って広がると、トレイ１８の部位２０、２１は第１の収納ユニット１２と第２の収納ユニット１４との間で露出される。
【００１４】
トレイ１８は、第１の収納ユニット１２が展開位置にある場合に第１の収納ユニット１２内に残る第１の端部２４と、第２の収納ユニット１４が展開位置にある場合に第２の収納ユニット１４内に残る第２の端部２６とを含み得る。例えば、第１の端部２４及び第２の端部２６は、第１の端部２４及び第２の端部２６がそれぞれ第１の収納ユニット１２及び第２の収納ユニット１４から出て行くのを防止する停止部（図示せず）、例えばフランジ、テザー（tethers）等を含んでもよい。
【００１５】
図２及び図３を参照して、トレイ１８は平面Ｐに沿って広がり、展開位置において第１の収納ユニット１２及び第２の収納ユニット１４を平面Ｐ内で支持し得る。そのため、第１の収納ユニット１２及び／又は第２の収納ユニット１４は表面、例えば洗面台の端で支持され、トレイ１８は凹部、例えば洗面台の流しに亘って広がり得る。トレイ１８は第１の収納ユニット１２及び第２の収納ユニット１４を平面内で支持するため、トレイ１８は流しの上でキャリングケース１０を支持する。第１の収納ユニット１２及び第２の収納ユニット１４は折り畳み位置と展開位置との間を平面Ｐに沿って移動する。
【００１６】
引き続き図２〜図３を参照して、第１の収納ユニット１２及び第２の収納ユニット１４のそれぞれはトレイ１８を摺動可能に受容する軌道（track）２８を定義する。第１の収納ユニット１２及び第２の収納ユニット１４と同様に、トレイ１８は軌道２８に沿って摺動する。例えば、軌道２８は、トレイ１８が底面パネル３０と上面３２との間に配置された状態で底面パネル３０と上面３２との間に定義され得る。側部３４は底面パネル３０と上面３２とを連結し得る。図４〜図７に示すように、軌道２８はトレイ１８の形状と合致し得る。あるいは、軌道２８は任意の好適な構成のものであってもよい。
【００１７】
図２〜図３を参照して、第１の収納ユニット１２及び第２の収納ユニット１４のそれぞれはトレイ１８を摺動可能に受容するスロット３６を定義し得る。スロット３６は軌道２８と連通してもよい。第１の収納ユニット１２及び第２の収納ユニット１４のスロット３６は折り畳み位置で対向する。
【００１８】
図４及び図５を参照して、第１の収納ユニット１２及び第２の収納ユニット１４は互いに枢結され、互いに対して枢動して折り畳み位置から展開位置に移る。第１の収納ユニット１２及び第２の収納ユニット１４は、例えばトレイ１８、１１８のコーナー３８を中心に枢動し得る。
【００１９】
引き続き図４及び図５を参照して、キャリングケース１０は第１の収納ユニット１２及び第２の収納ユニット１４に連結されるコネクタ４０を含み得る。第１の収納ユニット１２及び第２の収納ユニット１４はコネクタ４０を中心に互いに対して枢動する。コネクタ４０は、第１の収納ユニット１２と第２の収納ユニット１４とを互いに対して枢動させるために任意の好適な方法で構成され得る。例えば、コネクタ４０は第１の収納ユニット１２、第２の収納ユニット１４及び／又はトレイ１８、１１８に比べて柔軟な材料から作られ得る。コネクタ４０は例えばナイロン、ポリエステル等の任意の好適な種類の天然又は合成のファブリック、フィルム等であり得る。
【００２０】
引き続き図４及び図５を参照して、トレイ１８、１１８は扇形、即ちパイ形を有し得る。具体的には、扇形は円弧４２と、円弧４２からコーナー３８に延びる２つの半径４４とを含み得る。上述したように、第１の収納ユニット１２及び第２の収納ユニット１４はコーナー３８を中心に折り畳み位置と展開位置との間で枢動し得る。第１の収納ユニット１２及び第２の収納ユニット１４がコーナー３８を中心に枢動すると、第１の収納ユニット１２及び第２の収納ユニット１４は円弧４２に沿って摺動し得る。あるいは、トレイ１８は、第１の収納ユニット１２と第２の収納ユニット１４とを折り畳み位置と展開位置との間で互いに対して枢動させる任意の好適な構成を有し得る。一例として、トレイ１８は第１の収納ユニット１２と第２の収納ユニット１４とが互いに対して９０°離れて展開位置に移動し得るように半円形を有し得る。
【００２１】
図６及び図７を参照して、第２の実施形態の第１の収納ユニット１２及び第２の収納ユニット１４は互いに対して枢動するとともに、互いに対して並進して折り畳み位置から展開位置に移り得る。第２の実施形態のコネクタ４０は、第１の収納ユニット１２と第２の収納ユニット１４とを互いに対して枢動及び並進させるように構成され得る。例えば、コネクタ１４０は、折り畳み位置にある場合、第１の収納ユニット１２と第２の収納ユニット１４との間に折り目４６を含み得る。図７に示すように、第１の収納ユニット１２及び第２の収納ユニット１４が展開位置に移動すると、コネクタ１４０は広がり得る。
【００２２】
引き続き図６及び図７を参照して、キャリングケース１１０は折り目４６内にファスナー４８を含み得る。ファスナー４８は例えば面ファスナー、即ちフックアンドパイルファスナー（hook  and  pile  fasteners）であり得る。第１の収納ユニット１２と第２の収納ユニット１４とが互いに対して移動して折り畳み位置から展開位置に移ると面ファスナーが開く。第１の収納ユニット１２及び第２の収納ユニット１４が互いに対して移動して展開位置から折り畳み位置に移ると、面ファスナーが閉まって第１の収納ユニット１２及び第２の収納ユニット１４を折り畳み位置で解放可能に維持する。
【００２３】
引き続き図６及び図７を参照して、トレイ１１８は切頂扇形、即ちコーナーを取り除いた扇形を有し得る。具体的には、切頂扇形は円弧１４２と、ベース５０と、円弧１４２からベース５０に延びた２つの半径１４４とを含み得る。第１の収納ユニット１２及び第２の収納ユニット１４が折り畳み位置と展開位置との間で移動するとき、第１の収納ユニット１２及び第２の収納ユニット１４はベース５０を中心に枢動し、ベース５０に沿って摺動し得る。第１の収納ユニット１２及び第２の収納ユニット１４がベース５０に対して枢動及び並進するとき、第１の収納ユニット１２及び第２の収納ユニット１４は円弧１４２に沿って摺動し得る。あるいは、トレイ１１８は、折り畳み位置と展開位置との間で第１の収納ユニット１２及び第２の収納ユニット１４を互いに対して枢動及び並進させるために任意の好適な構成を有し得る。
【００２４】
第１の実施形態のキャリングケース１０及び／又は第２の実施形態のキャリングケース１１０は第１の収納ユニット１２及び第２の収納ユニット１４と係合して第１の収納ユニット１２及び第２の収納ユニット１４を展開位置で選択的に維持するストラップ８０又は他の連結機構を含み得る。ストラップ８０は第１の収納ユニット１２及び第２の収納ユニット１４のうちの一方に着脱可能に取り付けられ、第１の収納ユニット１２及び第２の収納ユニット１４のうちの他方に永久的に取り付けられ得る。図示のストラップ８０は例えば第１の収納ユニット１２に永久的に縫い付けられ、第２の収納ユニット１４にはスナップ（参照符号なし）により着脱可能に固定されている。ストラップ８０は第１の収納ユニット１２及び第２の収納ユニット１４の任意の部分に連結してもよい。キャリングケース１０、１１０は任意の好適な数のストラップ８０を含み得る。あるいは、ストラップ８０は面ファスナー、クリップ、ボタン等を含み得る。
【００２５】
図３を参照して、第１の収納ユニット１２及び第２の収納ユニット１４のそれぞれはコンパートメント５４と、コンパートメント５４を取り外し可能に覆う蓋５６とを定義し得る。図８の断面図に蓋５６を示す。図３に示すように、蓋５６はコンパートメント５４にヒンジ留めされ得る。蓋５６はジッパー５８又は他の任意の好適な閉鎖機構を用いてコンパートメント５４を閉め得る。
【００２６】
コンパートメント５４は空洞６２を定義する複数の壁６０を含み得る。コンパートメント５４は、ナイロン、ポリエステル等といった天然又は合成のファブリック、フィルム等の任意の好適な材料から作られ得る。コンパートメント５４は壁６０の形状を維持するための補強機構を含み得る。補強機構は発泡体等の任意の好適な形状のものであり得る。
【００２７】
図３及び図８に示すように、蓋５６はリビングヒンジ（living  hinge）６６によって分かれた区画６４を含み得る。例えば、区画６４は２つの外層６８、例えばファブリック、フィルム等の間に挟まれ得る。外層６８は区画６４の間のリビングヒンジ６６を定義し得る。外層６８はナイロン、ポリエステル等といった任意の好適な種類の天然又は合成のファブリック、フィルム等であり得る。外層６８はコネクタ４０、１４０の材料と同じであってもよいし異なっていてもよい。区画６４は発泡体等の任意の好適な材料であり得る。
【００２８】
図３を参照して、第１の収納ユニット１２及び第２の収納ユニット１４はコンパートメント５４に対する蓋５６の動きを制限するためにそれぞれテザー７０を含み得る。例えば、テザー７０は蓋５６及びコンパートメント５４に固定され得る。テザー７０は、蓋５６がコンパートメント５４を閉じている場合に蓋５６とコンパートメント５４との間で折れ曲がり、図３に示すように、テザー７０は蓋５６が開いている場合は蓋５６の動きを制限するために広がり得る。あるいは、テザー７０は任意の好適な構成を有し得る。テザー７０、コネクタ４０、１４０及び／又はコンパートメント５４はそれぞれ共通の種類の材料で形成され得る。それに加えて、テザー、コネクタ４０、１４０及び／又はコンパートメント５４はそれぞれ互いに一体的に形成され得る。即ち、同じ材料から同時に形成される。あるいは、テザー７０、コネクタ４０、１４０及びコンパートメント５４は別々に形成され、後で共に組み立てられ得る。
【００２９】
図３及び図８に示すように、第１の収納ユニット１２及び第２の収納ユニット１４のそれぞれはコンパートメント５４の空洞６２内に仕切板７２を含み得る。図３に示すように、仕切板７２は様々な物品を収納するためにコンパートメント５４を仕切る。
【００３０】
図８に示すように、第１の収納ユニット１２及び第２の収納ユニット１４から仕切板７２を取り外してもよい。仕切板７２は区画７４と、区画７４を連結するリビングヒンジ７６とを含み得る。例えば、区画７４は２つの外層７８の間で挟まれ得る。外層７８は区画７４の間でリビングヒンジ７６を定義し得る。外層７８はナイロン、ポリエステル等といった任意の好適な種類の天然又は合成のファブリック、フィルム等のものであり得る。外層７８はコネクタ４０、１４０の材料と同じであってもよいし異なっていてもよい。区画７４は発泡体等の任意の好適な材料であり得る。
【００３１】
使用の際、化粧品、洗面用具等の物品が第１の収納ユニット１２及び／又は第２の収納ユニット１４のコンパートメント５４に詰められて収容される。第１の収納ユニット１２及び／又は第２の収納ユニット１４内で物品を維持するためにコンパートメント５４が蓋５６で閉められ得る。第１の収納ユニット１２及び第２の収納ユニット１４はキャリングケース１０、１１０を収納する及び／又はキャリングケース１０、１１０を持って旅行に行くために折り畳み位置に移される。折り畳み位置では、例えばキャリングケース１０、１１０は２１インチのスーツケース又は任意の他の標準サイズのスーツケースにフィットするサイズを有し得る。
【００３２】
選ばれた目的地に着くと、第１の収納ユニット１２及び／又は第２の収納ユニット１４が折り畳み位置から展開位置に動かされ、トレイ１８、１１８が第１の収納ユニット１２から第２の収納ユニット１４に広がる。第１の収納ユニット１２及び第２の収納ユニット１４は、トレイが洗面台の流しに亘って広がった状態で、例えば洗面台の両端に置かれ得る。コンパートメント５４内の物品にアクセスするために、第１の収納ユニット１２及び／又は第２の収納ユニット１４の蓋５６が開けられ得る。使用の際、物品がトレイ１８、１１８の上に置かれ得る。トレイ１８、１１８は物品を置くために洗面台に有用な空間を追加するとともに、誤って落下した物品をキャッチして、物品が洗面台の排水管に流されて無くなるのを防止し得る。
【００３３】
キャリングケース１０、１１０の用途は化粧品及び洗面用具に限定されない。例えば、キャリングケース１０、１１０を薬、補聴器等を収納及び／又は搬送するのに用いてもよく、トレイ１８、１１８は摂取すべき薬を並べるため及び／又は誤って落ちた薬をキャッチするのに使用され得る。別の例として、キャリングケース１０、１１０を自動車内の物品、例えば工具、スペアーパーツ等を収納するのに使用してもよく、トレイ１８、１１８は自動車に作業を行う間に工具を支持するのに使用され得る。使用の他の例はおもちゃを収納及び／又は搬送することを含み、その場合、トレイ１８、１１８は家又は旅先でおもちゃを置くため及び／又はおもちゃで遊ぶための表面として使用され得る。別の例として、キャリングケース１０、１１０は例えば弁当箱等のように食べ物を収納及び搬送するのに使用してもよい。その場合、トレイ１８、１１８は食事の間に食べ物を置くのに使用され得る。
【００３４】
本開示を例示的に説明してきた。なお、使用した用語は限定ではなく説明を意図したものである。上述の教示に照らして、本開示の多くの変形及び変更が可能であり、本開示は具体的に説明したものとは別の形で実施され得る。
【図１】
2017525434.tif 000003
【図２】
2017525434.tif 000004
【図３】
2017525434.tif 000005
【図４】
2017525434.tif 000006
【図５】
2017525434.tif 000007
【図６】
2017525434.tif 000008
【図７】
2017525434.tif 000009
【図８】
2017525434.tif 000010
【図９】
2017525434.tif 000011
【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
第１の収納ユニットと、
第２の収納ユニットであって、前記第１の収納ユニットから離れて折り畳み位置から展開位置に移動し、該展開位置において前記第１の収納ユニットと該第２の収納ユニットとの間に間隙を定義する第２の収納ユニットと、
ファブリック製であるとともに、前記第１の収納ユニットから前記第２の収納ユニットに延びるコネクタであって、前記第１の収納ユニット及び前記第２の収納ユニットは該コネクタを中心に前記折り畳み位置と前記展開位置との間で互いに対して枢動可能である、コネクタと、
前記間隙に亘って前記第１の収納ユニットから前記第２の収納ユニットに広がるトレイであって、該トレイの少なくとも一部は前記折り畳み位置において前記第２の収納ユニット内に配置され、前記展開位置において前記間隙に沿って広がる、トレイと、
を含むキャリングケース。
【請求項２】
前記トレイの少なくとも別の部分は、前記折り畳み位置において前記第１の収納ユニット内に配置され、前記展開位置において前記間隙に沿って広がる、請求項１に記載のキャリングケース。
【請求項３】
前記トレイは平面に沿って広がり、前記展開位置において前記第１の収納ユニット及び前記第２の収納ユニットを前記平面内で支持する、請求項１に記載のキャリングケース。
【請求項４】
前記第１の収納ユニット及び前記第２の収納ユニットの双方はファブリック製である、請求項１に記載のキャリングケース。
【国際調査報告】
2017525434.tif 000012
2017525434.tif 000013
2017525434.tif 000014